(57)【要約】      （修正有）【課題】簡単な構造で、生ごみを収納し、確実に中の生ごみ、水分、さらには悪臭が漏れることを防ぐ。【解決手段】生ごみ用袋１の口部２０は、接合面を有する複数個の連結体２１と、袋本体１０の開口側端を連結体２１に連結する第１線材２２と、連結体２１の接合面をラップフィルム３０が覆うように連結体２１に連結する第２線材２３と、を含み、第１線材２２と第２線材２３により複数個の連結体２１を連結した構成であり、袋本体１０に生ごみを収納した後に連結体２１の接合面を覆うラップフィルム３０同士を密着させて密閉する。【選択図】図１
2019014553.tif 000002
【特許請求の範囲】
【請求項１】
生ごみを収納する袋本体と、
前記袋本体に生ごみを収納した後に密閉する口部と、を有し、
前記口部は、
接合面を有する複数個の連結体と、
前記袋本体の開口側端を前記連結体に連結する第１線材と、
前記連結体の接合面をラップフィルムが覆うように前記連結体に連結する第２線材と、を含み、
前記第１線材と前記第２線材により前記複数個の連結体を連結した構成であり、
前記袋本体に生ごみを収納した後に前記連結体の接合面を覆う前記ラップフィルム同士を密着させて密閉することを特徴とする生ごみ用袋。
【請求項２】
前記ラップフィルムは、保護フィルムを有し、
前記ラップフィルムから前記保護フィルムを剥離し、
前記ラップフィルム同士を密着させて密閉することを特徴とする請求項１に記載の生ごみ用袋。
【請求項３】
前記連結体は、
前記接合面に、前記ラップフィルム同士を密着させて密閉する係合部を有することを特徴とする請求項１または請求項２に記載の生ごみ用袋。
【請求項４】
前記連結体は、
下側に前記第１線材を係合保持可能な第１係合部を有し、
上側に前記第２線材を係合保持可能な第２係合部を有し、
前記第１係合部に前記第１線材を係合保持させ、前記袋本体の開口側端を前記連結体に連結し、
前記第２係合部に前記第２線材を係合保持させ、前記連結体の接合面を前記ラップフィルムが覆うように前記連結体に連結することを特徴とする請求項１乃至請求項３のいずれか１項に記載の生ごみ用袋。
【発明の詳細な説明】
【技術分野】
【０００１】
この発明は、病院などの医療施設、家庭などで生じる生ごみを収納し、中の生ごみ、水分、さらには悪臭が漏れることを防ぐことが可能な生ごみ用袋に関するものである。
【背景技術】
【０００２】
従来、病院などの医療施設では、治療に用いたガーゼなどの生ごみ、また家庭などでは、食べ残しなどの生ごみが生じており、このような生ごみは、生ごみ用袋に収納して廃棄している。この生ごみ用袋に生ごみを収納して捨てる時、中の生ごみが排出することを防ぐものが提案されている（特許文献１〜特許文献１）。
【０００３】
特許文献１は、生ごみ入れ袋の開口下にある開封口閉めひもを引っ張り開口を閑め生ごみ入れ袋内のごみの排出を防ぐ構成である。特許文献２は、ごみ袋の底部に消臭剤をコーティングした紙タオルを設け、生ごみによって悪臭が発生しないようにする構成である。特許文献３は、紙製ごみ収集袋の底部に、吸水剤を設け、吸水剤の表面を吸湿性のカバーで被覆し、生ごみから出る水分を吸収し、ごみ処理を容易にする構成である。
【０００４】
【特許文献１】特開２００４−３５２５６号公報
【特許文献２】特開平９−２７８１０５号公報
【特許文献３】特開平１１−２８６３０１号公報
【発明の開示】
【発明が解決しようとする課題】
【０００５】
しかしながら、特許文献１は、開封口閉めひもを引っ張り開口を閑め、生ごみ入れ袋内のごみの排出を防ぐ構成であり、ごみの排出や悪臭が発生しないようにすることて困難である。特許文献２は、消臭剤を用いるもので一定の効果があるが悪臭が発生しないよにするには限界がある。また、特許文献３は、吸水剤を用いるもので同様に一定の効果があるが水分を吸収するには限界がある。
【０００６】
この発明は、このような従来技術の実情に鑑みてなされたもので、簡単な構造で、
生ごみを収納し、確実に中の生ごみ、水分、さらには悪臭が漏れることを防ぐことが可能な生ごみ用袋を提供することを目的とする。
【課題を解決するための手段】
【０００７】
前記課題を解決し、かつ目的を達成するために、この発明は、以下のように構成した。
【０００８】
請求項１に記載の発明は、生ごみを収納する袋本体と、
前記袋本体に生ごみを収納した後に密閉する口部と、を有し、
前記口部は、
接合面を有する複数個の連結体と、
前記袋本体の開口側端を前記連結体に連結する第１線材と、
前記連結体の接合面をラップフィルムが覆うように前記連結体に連結する第２線材と、を含み、
前記第１線材と前記第２線材により前記複数個の連結体を連結した構成であり、
前記袋本体に生ごみを収納した後に前記連結体の接合面を覆う前記ラップフィルム同士を密着させて密閉することを特徴とする生ごみ用袋である。
【０００９】
請求項２に記載の発明は、前記ラップフィルムは、保護フィルムを有し、
前記ラップフィルムから前記保護フィルムを剥離し、
前記ラップフィルム同士を密着させて密閉することを特徴とする請求項１に記載の生ごみ用袋である。
【００１０】
請求項３に記載の発明は、前記連結体は、
前記接合面に、前記ラップフィルム同士を密着させて密閉する係合部を有することを特徴とする請求項１または請求項２に記載の生ごみ用袋である。
【００１１】
請求項４に記載の発明は、前記連結体は、
下側に前記第１線材を係合保持可能な第１係合部を有し、
上側に前記第２線材を係合保持可能な第２係合部を有し、
前記第１係合部に前記第１線材を係合保持させ、前記袋本体の開口側端を前記連結体に連結し、
前記第２係合部に前記第２線材を係合保持させ、前記連結体の接合面を前記ラップフィルムが覆うように前記連結体に連結することを特徴とする請求項１乃至請求項３のいずれか１項に記載の生ごみ用袋である。
【発明の効果】
【００１２】
前記構成により、この発明は、以下のような効果を有する。
【００１３】
請求項１乃至請求項４に記載の発明では、袋本体に生ごみを収納した後に密閉する口部を有し、口部は、接合面を有する複数個の連結体と、袋本体の開口側端を前記連結体に連結する第１線材と、連結体の接合面をラップフィルムが覆うように連結体に連結する第２線材と、を含み、第１線材と第２線材により複数個の連結体を連結した構成であり、袋本体に生ごみを収納した後に連結体の接合面を覆うラップフィルム同士を密着させて密閉することで、簡単な構造で、生ごみを収納し、確実に中の生ごみ、水分、さらには悪臭が漏れることを防ぐことが可能である。
【図面の簡単な説明】
【００１４】
【図１】生ごみ用袋の口部を開いた状態を示す図である。
【図２】生ごみ用袋の口部を閉じた状態を示す図である。
【図３】連結体を示す外観を示す図である。
【図４】連結体の断面を示す図である。
【図５】複数個の連結体の連結を示す図である。
【発明を実施するための形態】
【００１５】
以下、この発明の生ごみ用袋の実施の形態について説明する。この発明の実施の形態は、発明の最も好ましい形態を示すものであり、この発明はこれに限定されない。
【００１６】
この実施の形態の生ごみ用袋の構成を、図１乃至図５に基づいて説明する。図１は生ごみ用袋の口部を開いた状態を示す図、図２は生ごみ用袋の口部を閉じた状態を示す図、図３は連結体を示す外観を示す図、図４は連結体の断面を示す図、図５は複数個の連結体の連結を示す図である。
【００１７】
（生ごみ用袋の構成）
この実施の形態の生ごみ用袋１は、例えば、病院などの医療施設、家庭などで生じる生ごみを収納し、中の生ごみ、水分、さらには悪臭が漏れることを防ぐことが可能なものであり、生ごみを収納する袋本体１０と、袋本体１０に生ごみを収納した後に密閉する口部２０と、を有する。
【００１８】
袋本体１０は、合成樹脂フィルムが用いられ、合成樹脂フィルムとしては、例えば、ポリオレフィンフィルムが挙げられ、ポリオレフィンとしては、例えば、ポリエチレン、ポリプロピレン、エチレン−酢酸ビニル共重合体、エチレン−メチルメタクリレート共重合体、ポリスチレン、及び、これらの２種以上のブレンド等が挙げられ、ポリプロピレンが好ましい。使用目的よっては、通気性が低いポリアミド合成樹脂、また柔軟で摩耗しにくいことから、ポリ塩化ビニルが使用される。
【００１９】
口部２０は、複数個の連結体２１と、袋本体１０の開口側端を連結体２１に連結する第１線材２２と、連結体２１をラップフィルム３０同士が覆うように連結体２１に連結する第２線材２３とを含み、第１線材２２と第２線材２３により複数個の連結体２１を連結した構成である。
【００２０】
連結体２１は、合成樹脂で成形された方形の立方体であり、接合面２１ａと、非接合面２１ｂと、左右の連結面２１ｃ，２１ｄと、上下の支持面２１ｅ，２１ｆを有し、さらに下側に第１線材２２を係合保持可能な第１係合部２１ｇと、上側に第２線材２３を係合保持可能な第２係合部２１ｈを有する。第１係合部２１ｇは、長軸方向に形成された係合孔２１ｇ１と、支持面２１ｆから係合孔２１ｇ１に連なるガイド切欠き２１ｇ２から構成される。第２係合部２１ｈは、長軸方向に形成された係合孔２１ｈ１と、支持面２１ｅから係合孔２１ｈ１に連なるガイド切欠き２１ｈ２から構成される。
【００２１】
接合面２１ａは、ラップフィルム３０同士を密着させて密閉する係合部２１ｉを有し、係合部２１ｉは、凹状係合部２１ｉ１と凸状係合部２１ｉ２から構成される。凹状係合部２１ｉ１は、溝状部２１ｉ１１と円状凹２１ｉ１２から構成され、凸状係合部２１ｉ２は、凸条部２１ｉ２１と円状凸２１ｉ２２から構成される。
【００２２】
複数個の連結体２１は、接合面２１ａに係合部２１ｉを有し、凹状係合部２１ｉ１と凸状係合部２１ｉ２が交互に配置された構成であり、凹状係合部２１ｉ１と凸状係合部２１ｉ２の位置を変えた連結体２１を対にして用い、交互に連結される。袋本体１０の口部２０の大きさに応じ、凹状係合部２１ｉ１と凸状係合部２１ｉ２の位置を変えた連結体２１を交互に配置して用いるが、開閉する一方側と他方側に分け、それぞれ凹状係合部２１ｉ１と凸状係合部２１ｉ２の位置が同じ連結体２１を用い、対抗する連結体２１の凹状係合部２１ｉ１と凸状係合部２１ｉ２が係合するようにしてもよい。
【００２３】
第１線材２２と第２線材２３は、例えば釣り糸が用いられ、釣り糸としては、ポリアミド合成樹脂、ポリフッ化ビニリデン、ポリエチレンなどの糸が用いられる。ラップフィルム３０としては、例えば食品包装用ラップフィルムが用いられる。この種の食品包装用ラップフィルムとして、外層及び内層が密度０．９２〜０．９４ｇ／ｃｍ３  でＭＦＲが４以上の低密度ポリエチレン９５〜５０重量部及び密度０．９１ｇ／ｃｍ３  以下の超低密度線状ポリエチレン５〜５０重量部からなる樹脂組成物からなり、中間層がＭＦＲ１５以上のポリプロピレン樹脂組成物からなるラップフィルムがある（例えば、特開平０７−１４８８９８号公報参照）。
【００２４】
（生ごみ用袋の作成）
この実施の形態の生ごみ用袋１の作成は、袋本体１０の開口側端に第１線材２２を、例えば接着剤などを用いて固定する。袋本体１０の口部２０の大きさに応じて複数個の連結体２１を準備し、凹状係合部２１ｉ１と凸状係合部２１ｉ２の位置を変えた連結体２１を対にしており、この対の連結体２１の第１係合部２１ｇに第１線材２２を係合保持させ、袋本体１０の開口側端を複数の連結体１０に連結する（図５（ａ）参照）。
【００２５】
袋本体１０の口部２０の大きさに応じた大きさのラップフィルム３０を準備し、ラップフィルム３０の端部に第２線材２３を、例えば接着剤などを用いて固定する。連結体２１の第２係合部２１ｈに第２線材２３を係合保持させ、連結体２１の接合面２１ａをラップフィルム３０が覆うように連結体２１に連結する（図５（ｂ）参照）。ラップフィルム３０は、保護フィルム３１を有し、保護フィルム３１によってラップフィルム３０が接着することを防止している。第１線材２２同士の端部及び第２線材２３の端部同士は、予め締結した状態で連結体２１に係合保持させてもよいし、係合保持させた後で締結してもよい。
【００２６】
（生ごみ用袋の使用）
この実施の形態の生ごみ用袋１の使用は、袋本体１０の口部２０を開き、口部２０から袋本体１０の内部に生ごみを収納するが、この収納時には、保護フィルム３１によってラップフィルム３０が接着することを防止している（図１参照）。
【００２７】
口部２０から袋本体１０の内部に生ごみを収納した後は、ラップフィルム３０から保護フィルム３１を剥離し、対抗する対の連結体２１の接合面２１ａを接合させて口部２０を閉じる（図２参照）。この口部２０を閉じた状態では、対の連結体２１の接合面２１ａに形成した凹状係合部２１ｉ１と凸状係合部２１ｉ２が係合し、この係合によってラップフィルム３０同士をより強固に密着させて密閉する。
【００２８】
このように、袋本体１０に生ごみを収納した後に連結体２１の接合面２１ａを覆うラップフィルム３０同士を密着させて密閉するから、簡単な構造で、袋本体１０の内部に生ごみを収納し、確実に中の生ごみ、水分、さらには悪臭が漏れることを防ぐことが可能である。
【産業上の利用可能性】
【００２９】
この発明は、病院などの医療施設、家庭などで生じる生ごみを収納し、中の生ごみ、水分、さらには悪臭が漏れることを防ぐことが可能な生ごみ用袋に適用可能であり、簡単な構造で、生ごみを収納し、確実に中の生ごみ、水分、さらには悪臭が漏れることを防ぐことが可能である。
【符号の説明】
【００３０】
１  生ごみ用袋
１０  袋本体
２０  口部
２１  連結体
２２  第１線材
２３  第２線材
３０  ラップフィルム
３１  保護フィルム
【図１】
2019014553.tif 000003
【図２】
2019014553.tif 000004
【図３】
2019014553.tif 000005
【図４】
2019014553.tif 000006
【図５】
2019014553.tif 000007